(57)【特許請求の範囲】
【請求項１】
各走査線の終了信号の検出手段と、頁の終了信号の検出手段と、計時手段と、受信中、所定時間内に走査線の終了信号の検出がない場合は通信手順信号の検出を開始する手段と、受信中の頁の終了信号の検出なしで通信手順信号を検出した場合は該頁の受信信号に疑似制御復帰信号を付す手段と、疑似制御復帰信号までの受信信号を再生する手段とを備えたことを特徴とする通信端末装置。
【請求項２】
復号結果にエラーを含むエラー走査線数の検出手段と、頁の終了信号の検出手段と、受信中、所定数以上のエラー走査線を検出した場合は通信手順信号の検出を開始する手段と、受信中の頁の終了信号の検出なしで通信手順信号を検出した場合は該頁の受信信号に疑似制御復帰信号を付す手段と、疑似制御復帰信号までの受信信号を再生する手段とを備えたことを特徴とする通信端末装置。
【請求項３】
受信中の頁の終了信号の検出なしで通信手順信号を検出した場合に、送信機に対して手順信号を応答する手段を備えた請求項１又は２記載の通信端末装置。
【発明の詳細な説明】
【０００１】
【発明の属する技術分野】
本発明は、ＩＴＵ（国際電気通信連合）−Ｔ  勧告によって通信手順が規定されているファクシミリ装置のような通信端末装置に関する。
【０００２】
【従来の技術】
ＩＴＵ−Ｔ  勧告では、送信する画データの１走査線分の符号化信号の後にライン終端信号ＥＯＬ（フォーマット：０００００００００００１）  を付加するように、また１頁分の画データの符号化信号の後に、ＥＯＬ  の６連続をフォーマットとする制御復帰符号ＲＴＣ  を付加するように規定されている。
【０００３】
受信機は、例えば２５６  バイトの画データをモデムが受信する都度、受信した画データをモデムから取り込んでデコードし、画像メモリに格納する。ＲＴＣ  までの１頁分の画データのデコードが終了すると、画像メモリに格納している１頁分の画データをプリントアウトする。
【０００４】
また、ＩＴＵ−Ｔ  勧告で規定されているファクシミリ手順は、以下の５つのフェーズによって記述される。
フェーズＡ：呼設定
フェーズＢ：要求される機能の識別と通信可能条件の確認及び選択した条件の命令からなるプリメッセージ手順
フェーズＣ：適切な位置合わせ、同期合わせを含むメッセージ伝送
フェーズＤ：メッセージ終了信号、確認信号、複数頁信号、ファクシミリ制御手順終了信号を含むポストメッセージ手順
フェーズＥ：呼解放
【０００５】
【発明が解決しようとする課題】
しかし、前述の、ＥＯＬ  の６連続からなるＲＴＣ  がノイズによって破壊された場合、従来の受信機では、ＲＴＣ  がないことでプリンタがプリント異常となるため、ＥＯＬ  が所定の時間内に検出できないときは回線を切断し、画像メモリ内の画データを消去していた。
【０００６】
そのため、ＲＴＣ  だけが破壊され、画データの受信は正常であった場合でも、画像メモリ内の画データを消去するので、送信機からの画データの再送及びその再デコードが必要になり、その間、受信機は他のデータを受信できない。
【０００７】
また、複数頁の画データの受信において、デコード結果にエラーを含むエラー走査線の数が１頁の中にかなりの本数含まれていると、その頁の画データは情報を伝えるには不十分であるのでデコードを中止してもよい。しかし、ＲＴＣ  まで画データをデコードしてＲＴＣ  を検出しなければキャリア断として回線を切断してしまうので、残りの頁の画データを受信するためにはその頁のＲＴＣ  までデコードしてしまわなければならない。
【０００８】
本発明はこのような問題点を解決するためになされたものであって、ＲＴＣ  が破壊されていて検出できない場合、又はデコード結果にエラーを含むエラー走査線が１頁に所定数以上出現した場合はポストメッセージ手順の検出を開始し、ＲＴＣ  の検出なしでポストメッセージ手順を検出した場合は画像メモリ内の画データにＲＴＣ  を擬似的に付加してＲＴＣ  までの画データを再生し、また以上のようにしてＲＴＣ  なしにポストメッセージ手順を検出した場合は、送信機に対して、例えば受信結果に応じたような手順信号を応答することにより、受信した画データのＲＴＣ  が破壊されている場合、又は受信した画データが情報を十分に伝達できないデータである場合でも受信した画データのプリントアウトを可能にし、また複数頁の画データの中にＲＴＣ  を検出しない頁が含まれている場合でもファクシミリ手順を継続させて通信効率が高いファクシミリ装置のような通信端末装置の提供を目的とする。
【０００９】
【課題を解決するための手段】
第１発明の通信端末装置は、各走査線の終了信号の検出手段と、頁の終了信号の検出手段と、計時手段と、受信中、所定時間内に走査線の終了信号の検出がない場合は通信手順信号の検出を開始する手段と、受信中の頁の終了信号の検出なしで通信手順信号を検出した場合は該頁の受信信号に疑似制御復帰信号を付す手段と、疑似制御復帰信号までの受信信号を再生する手段とを備えたことを特徴とする。
【００１０】
第１発明の通信端末装置は、画データの受信中、所定時間内に走査線の終了信号を検出しない場合は、頁の終了信号が破壊された可能性があると判定し、その頁の画データの受信を継続する一方で送信機からの通信手順信号の検出を開始し、頁の終了信号の検出なしで通信手順信号を検出した場合は、その頁の受信信号に疑似制御復帰信号を付し、疑似制御復帰信号までの受信画データを再生する。
これにより、受信した画データの頁終了信号が破壊されている場合でも、回線を切断せず、受信した画データを再生する。
【００１１】
第２発明の通信端末装置は、復号結果にエラーを含むエラー走査線数の検出手段と、頁の終了信号の検出手段と、受信中、所定数以上のエラー走査線を検出した場合は通信手順信号の検出を開始する手段と、受信中の頁の終了信号の検出なしで通信手順信号を検出した場合は該頁の受信信号に疑似制御復帰信号を付す手段と、疑似制御復帰信号までの受信信号を再生する手段とを備えたことを特徴とする。
【００１２】
第２発明の通信端末装置は、画データの受信中、復号結果にエラーを含むエラー走査線を所定数以上検出した場合は、送信機からの通信手順信号の検出を開始し、通信手順信号を検出した場合は、その頁の受信信号に疑似制御復帰信号を付し、疑似制御復帰信号までの受信画データを再生する。
これにより、受信した画データが情報を十分に伝達できないデータである場合でも、回線を切断せず、受信した画データを再生する。
【００１３】
第３発明の通信端末装置は、第１又は第２発明に加えて、受信中の頁の終了信号の検出なしで制御復帰信号を検出した場合に、送信機に対して手順信号を応答する手段を備えたことを特徴とする。
【００１４】
第３発明の通信端末装置は、受信信号に疑似制御復帰信号を付した場合は、例えばその頁の受信結果に応じたような手順信号を応答する。
これにより、複数頁の画データの中にRTC を検出しない頁が含まれている場合にもキャリア断を回避し、ファクシミリ手順を継続させる。
【００１５】
【発明の実施の形態】
図１は本発明に係るファクシミリ装置の機能ブロック図である。
主制御部１は装置全体の動作を制御する。ＲＯＭ  ２は、例えば後述する、受信時のキャリア断回避処理のような、主制御部１が制御を行うのに必要な各種の処理プログラム等を記憶している。
なお、１頁の画データ（符号化データ）は多数のブロックに分割され、１ブロックは２５６  フレームからなり、本例ではフレームサイズを２５６  バイトとする。
【００１６】
ＲＡＭ  ３は、主制御部１の演算処理に必要なデータ等の各種情報を一時的に記憶する。また本例では、１頁の画データにおいて、デコード結果にエラーが含まれているエラー走査線の数をカウントアップするエラーラインカウンタ、１頁の画データにおいてデコードを行った走査線数をカウントアップするトータルラインカウンタ、キャリア断とすべき不具合を含むブロック数をカウントアップするキャリア断カウンタ、キャリア断を回避するためにＦＳＫ  信号（Ｖ．２１ｃｈ２  信号）の検出を開始するまでのブロック数をカウントするキャリア断回避カウンタとして作用するプログラムが記憶される。ここでキャリア断回避カウンタを設けるのは、例えば受信初期のように、画データの中にＦＳＫ  信号の信号成分が含まれている場合にこれをＦＳＫ  信号と誤検出して回線を切断してしまうことを避けるためである。
【００１７】
ＮＣＵ（ネットワークコントロールユニット）４は、公衆回線網との接続を制御し、モデム５は、公衆回線を介して送受信されるデータの変調及び復調を行う。またモデム５は、ファクシミリ通信時に通信相手との間で送受信される各種のファクシミリ制御手順信号の発生及び検出を行う機能も備えている。
読取部６はその原稿台にセットされた送信原稿の画像を読み取る。
【００１８】
記録部７はファクシミリ装置が受信して画像メモリ８に格納されている、ＲＴＣ  までの１頁分の画データを記録紙にプリントアウトする。
画像メモリ８は、読取部６で読み取られた画データ、受信された画データ等を一時的に記憶する。
【００１９】
デコーダ１２は画像メモリ８に格納された２５６  バイトずつの画データを復号する。主制御部１はデコード１２の復号結果から、エラー走査線を検出してライン数を計数し、エラーラインカウンタに加算してデコード結果を画像メモリ８に格納する。
また、フィルタ回路１３はＶ．２１ｃｈ２  （勧告Ｖ．２１チャネル２変調方式）のＦＳＫ  信号、即ち低速の３００ｂｉｔ／ｓの同期モードで伝送されるポストメッセージ手順信号を検出する。
【００２０】
操作部９には、  ＦＡＸ番号等を入力するためのテンキー、ワンタッチキー等の通信用の各種キーのような操作キー等が設けられている。
液晶ディスプレイからなる表示部１０は、通信に関連する各種パラメータを表示する。
【００２１】
次に、本発明に係るファクシミリ装置（Ｇ３モード）の動作を図２乃至図５のフローチャートに基づいて説明する。
着信があると（ステップＳ１）、フェーズＡ及びフェーズＢのハンドシェイク処理を行う（ステップＳ２）。エラーラインカウンタ、トータルラインカウンタを０クリアし（ステップＳ３）、受信画データの通信速度に基づいて、回線を切断すべき不具合を含むキャリア断ブロック数（６０秒相当）、及び画データに含まれるＦＳＫ  信号を誤検出して回線を切断してしまうことを回避するためのキャリア断回避ブロック数（３秒相当）を算出する（ステップＳ４・Ｓ５）。
【００２２】
２５６  バイトの画データを受信すると（ステップＳ６）、受信画データを画像メモリ８に一時的に格納する（ステップＳ７）。画像メモリ８内の画データをデコーダ１２がデコードし、主制御部１はデコード結果からエラーライン数を計数してエラーラインカウンタに加算し、デコード結果を画像メモリ８に記憶する（ステップＳ８）。さらに、主制御部１はデコーダ１２によるデコードライン数をトータルラインカウンタに加算する（ステップＳ９）。
【００２３】
エラーラインが１０ライン連続したか否かを判定し（ステップＳ１０  ）、１０ライン連続している場合は、それ以後のデコードを中止して、ポストメッセージ手順のＦＳＫ  信号を検出するためにステップＳ２０  に移行する。
【００２４】
ステップＳ１０  の判定の結果、１０ライン連続のエラーラインがない場合はデコードライン数が更新されたか否かを判定する（ステップＳ１１  ）。デコードライン数が更新された場合は、そのデコードラインがエラーラインのみであったか否かを判定し（ステップＳ１２  ）、エラーラインのみであった場合、又はステップＳ１１  の判定の結果、デコードライン数が更新されなかった場合は、キャリア断カウンタ及びキャリア断回避カウンタをそれぞれインクリメントする（ステップＳ１３  ）。
【００２５】
一方、ステップＳ１２  の判定の結果、デコードラインがエラーラインのみでない場合はキャリア断カウンタ及びキャリア断回避カウンタをそれぞれクリアする（ステップＳ１４  ）。
ＲＴＣ  を検出したか否かを判定し（ステップＳ１５  ）、ＲＴＣ  を検出した場合は画データモードを終了して、ポストメッセージ手順のＦＳＫ  モードをセットする（ステップＳ１６  ）。
【００２６】
ＲＴＣ  を検出しない場合はキャリア断カウンタのカウント値が、ステップＳ４において算出したキャリア断ブロック数を超えたか否かを判定し（ステップＳ１７  ）、超えた場合は回線を切断して（ステップＳ１８  ）ステップＳ１に戻り、着信待ちとなる。
一方、キャリア断ブロック数をこえていない場合は、キャリア断回避カウンタのカウント値が、ステップＳ４において算出したキャリア断回避ブロック数を超えたか否かを判定し（ステップＳ１９  ）、超えていない場合はステップＳ６に戻って次の２５６  バイトの受信画データを処理する。
【００２７】
ステップＳ１９  において、キャリア断回避ブロック数を超えた場合はＶ．２１ｃｈ２  信号のフィルタ回路１３をセットする（ステップＳ２０  ）。受信信号にＶ．２１ｃｈ２  信号が含まれているか否かをチェックし（ステップＳ２１  ）、Ｖ．２１ｃｈ２  信号が含まれている場合はＲＴＣ  が破壊されている、デコードを中断した等で、ＲＴＣ  を検出できないままポストメッセージ手順に入ったため、ＲＴＣ  を生成し、受信した画データの最後にＲＴＣ  を付加しえ（ステップＳ２２  ）、ＦＳＫ  モードをセットする（ステップＳ２３  ）。
【００２８】
ＦＳＫ  モードにおいて、画像メモリ８に格納されている受信画データを印字データに復号してプリントアウトを開始する（ステップＳ２４  ）。
次頁の画データが有るか否かを判定し（ステップＳ２５  ）、次頁がある場合、即ち、ファクシミリ情報の完全な頁の終わりを表し、確認を受け取り次第フェーズＣの初めに戻るこを示すマルチページ信号ＭＰＳ  を検出した場合は再送要求が設定されているか否かをチェックする（ステップＳ２６  ）。
【００２９】
再送要求が設定されている場合は、カウンタ値を参照し、エラーライン数がトータルライン数の２０％以下であるか否かをチェックする（ステップＳ２７  ）。２０％以下の場合、又はステップＳ２６  の判定の結果、再送要求が設定されていない場合は、完全なメッセージが満足に受信され、更にメッセージが続いてもよいことを表す応答の手順信号であるメッセージ確認信号ＭＣＦ  を送出し（ステップＳ２８  ）、ステップＳ３に戻って次頁の画データを受信して同様の処理を繰り返す。
【００３０】
ステップＳ２８  のチェックの結果、エラーライン数が２０％を超えている場合は、前メッセージが完全には受信されなかったことを表すが、トレーニングそして／又は同期が再送されるならば、更に受信することが可能であることを表す応答の手順信号であるリトレーニング否定信号ＲＴＮ  を送出する（ステップＳ３１  ）。
【００３１】
また、ステップＳ２５  の判定の結果、次頁の画データがない場合、即ち、ファクシミリ情報の完全な頁の終わりを表し、更にこのほかのドキュメントを送らないことを表し、確認を受信した後フェーズＥに進む手順終了信号ＥＯＰ  を検出した場合は、再送要求が設定されているか否かをチェックする（ステップＳ２９  ）。
【００３２】
再送要求が設定されている場合は、カウンタ値を参照し、エラーライン数がトータルライン数の２０％以下であるか否かをチェックする（ステップＳ３０  ）。２０％以下の場合は、完全なメッセージが満足に受信され、更にメッセージが続いてもよいことを表す応答の手順信号であるメッセージ確認信号ＭＣＦ  を送出し（ステップＳ３２  ）、回線を切断する（ステップＳ３３  ）。
【００３３】
ステップＳ３０  のチェックの結果、エラーライン数が２０％を超えている場合は、前メッセージが完全には受信されなかったことを表すが、トレーニングそして／又は同期が再送されるならば、更に受信することが可能であることを表す応答の手順信号であるリトレーニング否定信号ＲＴＮ  を送出する（ステップＳ３１  ）。
ステップＳ２９  の判定の結果、再送要求が設定されていない場合は、メッセージ確認信号ＭＣＦ  を送出し（ステップＳ３２  ）、回線を切断する（ステップＳ３３  ）。
【００３４】
【発明の効果】
第１発明の通信端末装置は、ＲＴＣ  が破壊されていて検出できない場合はポストメッセージ手順の検出を開始し、ＲＴＣ  の検出なしでポストメッセージ手順を検出した場合は画像メモリ内の画データにＲＴＣ  を擬似的に付加してＲＴＣ  までの画データを再生するので、受信した画データの頁終了信号が破壊されている場合でも回線を切断せずに、受信した画データを再生するという優れた効果を奏する。
【００３５】
第２発明の通信端末装置は、デコード結果にエラーを含むエラー走査線が１頁に所定数以上出現した場合はポストメッセージ手順の検出を開始し、ＲＴＣ  の検出なしでポストメッセージ手順を検出した場合は画像メモリ内の画データにＲＴＣ  を擬似的に付加してＲＴＣ  までの画データを再生するので、受信した画データが情報を十分に伝達できないデータである場合でも、回線を切断せず、受信した画データを再生するという優れた効果を奏する。
【００３６】
第３発明の通信端末装置は、ＲＴＣ  なしにポストメッセージ手順を検出した場合は、送信機に対して、例えば受信結果に応じたような手順信号を応答するので、複数頁の画データの中にＲＴＣ  を検出しない頁が含まれている場合にもキャリア断を回避し、ファクシミリ手順を継続させるという優れた効果を奏する。
【図面の簡単な説明】
【図１】本発明に係るファクシミリ装置の機能ブロック図である。
【図２】本発明に係るファクシミリ装置の動作のフローチャートである。
【図３】本発明に係るファクシミリ装置の動作のフローチャートである。
【図４】本発明に係るファクシミリ装置の動作のフローチャートである。
【図５】本発明に係るファクシミリ装置の動作のフローチャートである。
【符号の説明】
１  主制御部
２  ＲＯＭ
３  ＲＡＭ
４  ＮＣＵ
５  モデム
７  記録部
８  画像メモリ
１２  デコーダ
１３  フィルタ回路
【図１】
0003567674.tif 000002
【図２】
0003567674.tif 000003
【図３】
0003567674.tif 000004
【図４】
0003567674.tif 000005
【図５】
0003567674.tif 000006